(57)【要約】      （修正有）【課題】上下に伸縮可能でゴルフクラブを取り出しやすい使用の利便性を向上したゴルフバッグを提供する。【解決手段】上方に向かって開口する第１の開口１０１を有する下バッグユニット１と、下バッグユニットに対して上下方向に伸縮可能に第１の開口に取り付けられ、上方に向かって開口する第２の開口２０１が形成されている上バッグユニット２と、を備え、下バッグユニットは、所定の高さにおいて、上下方向に略直交するように取り付けられる案内棒１４を有し、上バッグユニットには、案内棒の両端部によりそれぞれ摺動可能に挿通され、且つ、上下方向に略平行するように延伸する１対の案内溝が形成されている。【選択図】図１
0003228091.tif 000002
【実用新案登録請求の範囲】
【請求項１】
上方に向かって開口する第１の開口及び該第１の開口の反対側にある底部を有すると共に、前記第１の開口に連通する内部空間を囲むように構成された下バッグユニットと、
前記下バッグユニットに対して上下方向において相対移動可能に前記下バッグユニットの前記第１の開口に取り付けられていると共に、上方に向かって開口する第２の開口が形成されている上バッグユニットと、
前記上バッグユニットに取り付けられて前記第２の開口を覆い、且つ、操作により前記第２の開口を覆う状態と覆わない状態とに切り替えられるように構成された蓋ユニットと、を備え、
前記下バッグユニットには、前記内部空間を複数のクラブ収容空間に仕切る仕切り板と、前記底部から所定の高さを離れた箇所において、前記上下方向に略直交するように前記仕切り板によって支持される案内棒と、を有し、
前記上バッグユニットには、前記案内棒の両端部によりそれぞれ摺動可能に挿通され、且つ、前記上下方向に略平行するように延伸する１対の案内溝が形成されていることを特徴とするゴルフバッグ。
【請求項２】
前記上バッグユニットは、
下端部が前記下バッグユニットにより囲まれるスリーブ体と、
前記上下方向に略直交に延伸するように前記スリーブ体の内側に取り付けられている１対の支持棒と、を有し、
前記１対の案内溝は、該１対の支持棒にそれぞれ形成されていることを特徴とする請求項１に記載のゴルフバッグ。
【請求項３】
前記１対の支持棒はネジまたはリベットにより前記スリーブ体の内側に固定されていることを特徴とする請求項２に記載のゴルフバッグ。
【請求項４】
前記１対の案内溝は、いずれも前記上下方向に略平行するように延伸する縦溝部と、前  記縦溝部から前記上下方向に略直交する方向へ延伸し、前記案内棒の前記案内溝に挿入する端部を受け入れることができる複数のスロット部と、を有するように形成されていることを特徴とする請求項１〜請求項３のいずれか１項に記載のゴルフバッグ。
【請求項５】
前記下バッグユニットの前記底部には、接続板が配置されており、各前記仕切り板は、前記接続板から前記第１の開口へ延伸するように構成されていることを特徴とする請求項１〜請求項４のいずれか１項に記載のゴルフバッグ。
【請求項６】
前記案内棒の両端にはそれぞれネジ孔が形成されており、
更に、前記下バッグユニットを貫通してから前記案内棒の両端にある各前記ネジ孔に挿し込む１対の固定ネジが取り付けられていることを特徴とする請求項１〜請求項５のいずれか１項に記載のゴルフバッグ。
【請求項７】
前記蓋ユニットは線ファスナーにより前記上バッグユニットに取り付けられており、該線ファスナーが閉状態に操作されると、前記蓋ユニットは前記第２の開口を覆い、且つ、該線ファスナーが開状態に操作されると、前記蓋ユニットは前記第２の開口を覆わないようになっていることを特徴とする請求項１〜請求項６のいずれか１項に記載のゴルフバッグ。
【請求項８】
前記蓋ユニットに取っ手が取り付けられていることを特徴とする請求項１〜請求項７のいずれか１項に記載のゴルフバッグ。
【考案の詳細な説明】
【技術分野】
【０００１】
本考案は伸縮可能なゴルフバッグに関する。
【背景技術】
【０００２】
ゴルフバッグは持ち運びやすいように複数本のゴルフクラブを収容するものであるが、従来のゴルフバッグはバッグ本体とバッグ本体の上部に取り付けられたキャップとからなり、キャップが取り外されると決まった置き場所がないため紛失しやすい問題があり、そしてゴルフバッグ内に収容されるゴルフクラブの長さもまちまちなので、取り出す際にゴルフバッグ内に手を伸ばさなければならない時もあり、使用上の利便性には改善すべき点は多くある。
【考案の概要】
【考案が解決しようとする課題】
【０００３】
従って、本考案は、使用の利便性を向上したゴルフバッグの提供を目的とする。
【課題を解決するための手段】
【０００４】
上記目的を達成すべく、本考案は、上方に向かって開口する第１の開口及び該第１の開口の反対側にある底部を有すると共に、前記第１の開口に連通する内部空間を囲むように構成された下バッグユニットと、前記下バッグユニットに対して上下方向において相対移動可能に前記下バッグユニットの前記第１の開口に取り付けられていると共に、上方に向かって開口する第２の開口が形成されている上バッグユニットと、前記上バッグユニットに取り付けられて前記第２の開口を覆い、且つ、操作により前記第２の開口を覆う状態と覆わない状態とに切り替えられるように構成された蓋ユニットと、を備え、前記下バッグユニットには、前記内部空間を複数のクラブ収容空間に仕切る仕切り板と、前記底部から所定の高さを離れた箇所において、前記上下方向に略直交するように前記仕切り板によって支持される案内棒と、を有し、前記上バッグユニットには、前記案内棒の両端部によりそれぞれ摺動可能に挿通され、且つ、前記上下方向に略平行するように延伸する１対の案内溝が形成されていることを特徴とするゴルフバッグを提供する。
【考案の効果】
【０００５】
上記のように、本考案のゴルフバッグは、下バッグユニットと上バッグユニットとを有し、そして上バッグユニットには上下方向に略平行するように延伸し、且つ、下バッグユニットに固定されている案内棒の両端部によりそれぞれ摺動可能に挿通された１対の案内溝が形成されているので、上バッグユニットは下バッグユニットに対して上下方向に摺動可能になり、ゴルフバッグ全体は上下に伸縮可能になっているので、蓋ユニットが操作により前記第２の開口を覆わない状態に切り替えられると、上バッグユニットは下バッグユニットに対して下方向へずり落ちて中に収容されるゴルフクラブを取り出しやすいように露出させることができる。
【図面の簡単な説明】
【０００６】
【図１】本考案のゴルフクラブの全体的構成が示される説明図である。
【図２】本考案のゴルフクラブにおける下バッグユニットの構成が示される説明図である。
【図３】本考案のゴルフクラブにおける上バッグユニットが有する支持棒の１つの構成例が示される説明図である。
【図４】本考案のゴルフクラブの使用状態が示される説明図である。
【図５】本考案のゴルフクラブにおける上バッグユニットが有する支持棒の他の構成例が示される説明図である。
【図６】本考案のゴルフクラブにおける上バッグユニットが有する支持棒の他の構成例と下バッグユニットが有する案内棒との連動関係が示される説明図である。
【考案を実施するための形態】
【０００７】
以下は本考案の実施形態について詳しく説明する。
【０００８】
図１は本考案のゴルフクラブの全体的構成が示される説明図である。
図１に示されているように、本考案のゴルフバッグは、上方に向かって開口する第１の開口１０１及び該第１の開口１０１の反対側にある底部１０２が形成されている下バッグ本体１１を有すると共に、第１の開口１０１に連通する内部空間１１０を囲むように構成された下バッグユニット１と、下バッグユニット１に対して上下方向において相対移動可能に下バッグユニット１の前記第１の開口１０１に取り付けられていると共に、上方に向かって開口する第２の開口２０１が形成されている管状の上バッグユニット２と、上バッグユニット２に取り付けられて第２の開口２０１を覆い、且つ、操作により第２の開口２０１を覆う状態と覆わない状態とに切り替えられるように構成された蓋ユニット３と、を備えている。
【０００９】
図２は本考案のゴルフクラブにおける下バッグユニットの構成が示される説明図である。
図２に示されているように、下バッグユニット１は、底部１０２に配置される接続板１２と、接続板１２から第１の開口１０１へ延伸して内部空間１１０を、ゴルフクラブ４を収容する複数のクラブ収容空間１１１に仕切る仕切り板１３と、底部１０２から所定の高さを離れた箇所において、上下方向に略直交するように仕切り板１３によって支持される案内棒１４と、を有するように構成されている。
【００１０】
また、この実施形態において、案内棒１４の両端にはそれぞれネジ孔が形成されており、下バッグユニット１を貫通してから案内棒１４の両端にある各ネジ孔に挿し込む１対の固定ネジ１５が取り付けられている。
【００１１】
図３は本考案のゴルフクラブにおける上バッグユニットが有する支持棒の１つの構成例が示される説明図である。
【００１２】
図１及び図３に示されているように、上バッグユニット２は、下端部が下バッグユニット１により囲まれるスリーブ体２１と、上下方向に略直交に延伸するようにスリーブ体２１の内側に取り付けられている１対の支持棒２２とを有し、該１対の支持棒２２には、上下方向に略平行するように延伸する１対の案内溝２２１がそれぞれ形成されており、下バッグユニット１にある案内棒１４の両端部は、該１対の支持棒２２がそれぞれ有する案内溝２２１を摺動可能に挿通している。また、この実施形態において、１対の案内溝２２１は、上下方向に略平行するように延伸する縦溝部２２２のみを有するように構成されている。
【００１３】
該１対の支持棒２２は例えばネジまたはリベットによりスリーブ体２１の内側に固定されている。
【００１４】
図４は本考案のゴルフクラブの使用状態が示される説明図である。
【００１５】
図１と図４に示されているように、蓋ユニット３は、一端部のみ上バッグユニット２に連続している蓋本体３１と、線ファスナー３２と、取っ手３３と、を有するように、上バッグユニット２に取り付けられている。
【００１６】
線ファスナー３２により、該線ファスナー３２が閉状態に操作されると、蓋本体３１は図１に示されているように、第２の開口２０１を覆うようになると共に、内部空間１１０内に収容されるゴルフクラブ４の上端に当接して支持されるようになり、そして、該線ファスナー３２が開状態に操作されると、図４に示されているように、蓋ユニット３は第２の開口２０１を覆わないようになって、上バッグユニット２と共に下にずり落ちて内部空間１１０内に収容されるゴルフクラブ４を露出させることができる。
【００１７】
図５は本考案のゴルフクラブにおける上バッグユニット２が有する支持棒２２の他の構成例が示される説明図であり、図６は該支持棒２２の他の構成例と下バッグユニット１が有する案内棒１４との連動関係が示される説明図である。
【００１８】
図５と図６に１対の支持棒２２のもう１つの構成例が示されており、図示のように、この場合１対の案内溝２２１は、上下方向に略平行するように延伸する縦溝部２２２と、縦溝部２２２から上下方向に略直交する横方向へ延伸し、案内棒１４の案内溝２２１に挿入する端部を受け入れることができる広さがある複数のスロット部２２３と、を有するように形成される。
【００１９】
この構成により、案内棒１４は異なる高さにあるスロット部２２３に一時的に収容されることができ、上バッグユニット２の下バッグユニット１に対する伸縮具合を調整することができる。
【００２０】
以上は、本考案の実施形態及び変化例について説明したが、本考案はこれらに限定されるものではなく、最も広い解釈の精神および範囲内に含まれる様々な構成として、全ての修飾および均等な構成を包含するものとする。例えば、上バッグユニットは支持棒を設置する必要はなく、スリーブ体の内側に案内溝を形成する構成も考えられる。
【産業上の利用可能性】
【００２１】
上記構成により、本考案の本考案のゴルフバッグは、下バッグユニット１と上バッグユニット２とを有し、そして上バッグユニット２には上下方向に略平行するように延伸し、且つ、下バッグユニット１に固定されている案内棒１４の両端部によりそれぞれ摺動可能に挿通された１対の案内溝２２１が形成されているので、上バッグユニット２は下バッグユニット１に対して上下方向に摺動可能になり、ゴルフバッグ全体が上下に伸縮可能になっているので、蓋ユニット３が操作により前記第２の開口２０１を覆わない状態に切り替えられると、上バッグユニット２は下バッグユニット１に対して下方向へずり落ちて中に収容されるゴルフクラブ４を取り出しやすいように露出させることができる。
【００２２】
また、一端部のみ上バッグユニット２に連続している蓋本体３１と、線ファスナー３２と、取っ手３３と、を有するように蓋ユニット３を構成することにより、蓋本体３１は常に上バッグユニット２に繋がっていて置き場所を用意する必要がなく、そして上バッグユニット２と共に下にずり落ちた蓋ユニット３の取っ手３３を引き上げて線ファスナー３２を閉状態に操作する直感的操作を行うこともできるので、使用上の利便性をさらに向上することができる。
【符号の説明】
【００２３】
１          下バッグユニット
１０１      第１の開口
１０２      底部
１１        下バッグ本体
１１０      内部空間
１１１      クラブ収容空間
１２        接続板
１３        仕切り板
１４        案内棒
１５        固定ネジ
２          上バッグユニット
２０１      第２の開口
２１        スリーブ体
２２        支持棒
２２１      案内溝
２２２      スロット部
２２３      縦溝部
３          蓋ユニット
３１        蓋本体
３２        線ファスナー
３３        取っ手
４          ゴルフクラブ
【図１】
0003228091.tif 000003
【図２】
0003228091.tif 000004
【図３】
0003228091.tif 000005
【図４】
0003228091.tif 000006
【図５】
0003228091.tif 000007
【図６】
0003228091.tif 000008